(57)【要約】【課題】建吊荷の吊り上げを効率的に行うことのできる吊治具を提供すること。【解決手段】第一部材１０と、ベルト４０が取り付けられている第二部材２０と、ベルト４０を締め付けるファスナー３０とを有し、ベルト４０が引っ張られた際に、第一部材１０に対して第二部材２０が相対移動して、双方の間の隙間Ｓが変更され、隙間Ｓに配設されている吊荷Ｍを挟み、ファスナー３０により第一部材１０と第二部材２０の相対位置を保持する。【選択図】図１
2020158280.tif 000002
【特許請求の範囲】
【請求項１】
第一部材と、ベルトが取り付けられている第二部材と、ベルトを締め付けるファスナーとを有し、
前記ベルトが引っ張られた際に、前記第一部材に対して前記第二部材が相対移動して、双方の間の隙間が変更され、該隙間に配設されている吊荷を挟み、前記ファスナーにより該第一部材と該第二部材の相対位置を保持することを特徴とする、吊治具。
【請求項２】
前記第一部材は、平面視Ｌ型を呈して、相互に直交する第一片と第二片とを備え、
前記第二部材は、平面視Ｌ型を呈して、相互に直交する第三片と第四片とを備え、
前記第二片には、水平方向に延出する係合部が設けられ、
前記第四片には前記ベルトが取り付けられ、前記第三片には前記係合部に係合される被係合部が設けられ、該係合部に該被係合部が係合して案内されることにより、前記第二片に沿って該第三片が摺動自在となっており、
前記第一片と前記第四片との間の隙間において前記吊荷を挟むことを特徴とする、請求項１に記載の吊治具。
【請求項３】
前記第二片には、前記ベルトが挿通される第一スリットと第二スリットが開設されており、
前記第四片に取り付けられている前記ベルトが前記第一スリットに挿通されて前記第二片の背面側に延び、前記第二スリットに挿通されて該第二片の正面側の前記吊荷が配設される側に延びていることを特徴とする、請求項２に記載の吊治具。
【請求項４】
前記第二片において、前記第一片との境界に前記第一スリットが開設され、
前記第三片の先端に前記ベルトが嵌る溝が開設されていることを特徴とする、請求項３に記載の吊治具。
【請求項５】
前記第四片に対して、前記ベルトが取り外し自在に取り付けられていることを特徴とする、請求項２乃至４のいずれか一項に記載の吊治具。
【発明の詳細な説明】
【技術分野】
【０００１】
本発明は、吊治具に関する。
【背景技術】
【０００２】
建物の施工に当たり、柱や梁等を形成する角形鋼管や形鋼材、サッシ等の建設部材をクレーン等で吊り上げ、吊り上げられている状態の建設部材を作業員が所定の部位に設置する方法が一般に適用されている。
【０００３】
吊治具には様々な形態がある。その一例として、建設部材を収容する金属片に対してハンドル付きの締付けボルト等が相対移動自在に取り付けられ、ハンドルを回しながら締付けボルトを摺動させることにより金属片と締付けボルトの間の隙間を建設部材の幅にフィットさせて挟持し、金属片をワイヤやベルトを介して吊荷である建設部材を吊り上げる形態の吊治具が挙げられる。
【０００４】
しかしながら、このようにハンドルを回すことにより吊荷の幅にフィットさせる吊治具では、ハンドルを回して吊荷を挟持するのに手間と時間を要し、効率的な吊荷作業を行うことができない。さらに、ハンドルをきつく締め過ぎると、軸状の締付けボルトの先端から集中的な締付け力が吊荷に作用することにより、吊荷に傷を付ける恐れがあって好ましくない。
【０００５】
吊治具の他例として、第一凹溝及び第二凹溝が形成された滑車を備え、メインワイヤに吊持される滑車部と、第一凹溝に掛け渡された第一ワイヤ及び第二凹溝に掛け渡された第二ワイヤからなるワイヤ部と、第一ワイヤを取り付ける第一取付部と、第二ワイヤを取り付ける第二取付部と、第一ワイヤ及び第二ワイヤの両端にそれぞれ取り付けられた一対の係止具とを有する吊治具が提案されている。この吊治具では、滑車の軸と、第一取付部と第二取付部を結ぶ直線とが平行に離間するとともに、第一取付部と第二取付部の離間幅は、第一凹溝と第二凹溝の離間幅よりも大きく形成されている。吊荷には仮設治具が取り付けられ、仮設治具と係止具に連結ワイヤを係止させることにより、吊荷が吊り上げられる（例えば、特許文献１参照）。
【先行技術文献】
【特許文献】
【０００６】
【特許文献１】特開２００９−７３５９３号公報
【発明の概要】
【発明が解決しようとする課題】
【０００７】
特許文献１に記載の吊治具では、吊荷を吊り上げるに当たり、吊荷に仮設治具が取り付けられることを要し、吊り上げ後は吊荷から仮設治具を取り外すことを要する。そのため、吊り上げに際して手間と時間を要することは上記する吊治具の一例と同様である。このように、吊荷の吊り上げに際して吊治具は多用されているものの、吊り上げに際して手間と時間を要する形態が多いという課題がある。
【０００８】
本発明は上記課題に鑑みてなされたものであり、吊荷の吊り上げを効率的に行うことのできる吊治具を提供することを目的としている。
【課題を解決するための手段】
【０００９】
前記目的を達成すべく、本発明による吊治具の一態様は、
第一部材と、ベルトが取り付けられている第二部材と、ベルトを締め付けるファスナーとを有し、
前記ベルトが引っ張られた際に、前記第一部材に対して前記第二部材が相対移動して、双方の間の隙間が変更され、該隙間に配設されている吊荷を挟み、前記ファスナーにより該第一部材と該第二部材の相対位置を保持することを特徴とする。
【００１０】
本態様によれば、ベルトを締め付けることにより、第一部材と第二部材の間の隙間が変更されて隙間に配設されている吊荷を挟み、ファスナーにより第一部材と第二部材の相対位置が保持されることにより、吊荷を効率的に吊り上げることができる。また、吊荷が吊り上げられ、施工された後は、ファスナーによる固定を解除することにより、吊荷から吊治具を容易に取り外すことができる。さらに、本態様の吊治具の適用に当たり、吊荷に仮設治具を取り付ける必要がないことから、仮設治具に要するコストも削減でき、仮設治具の取り付けや取り外しに要する手間と時間も解消できる。
【００１１】
また、本発明による吊治具の他の態様において、前記第一部材は、平面視Ｌ型を呈して、相互に直交する第一片と第二片とを備え、
前記第二部材は、平面視Ｌ型を呈して、相互に直交する第三片と第四片とを備え、
前記第二片には、水平方向に延出する係合部が設けられ、
前記第四片には前記ベルトが取り付けられ、前記第三片には前記係合部に係合される被係合部が設けられ、該係合部に該被係合部が係合して案内されることにより、前記第二片に沿って該第三片が摺動自在となっており、
前記第一片と前記第四片との間の隙間において前記吊荷を挟むことを特徴とする。
【００１２】
本態様によれば、第一部材の有する第一片と第二部材の有する第四片の双方が、吊荷を面的に挟んで固定することにより、吊荷に集中的な締付け力が付与されることがなく、このように集中的な締付け力により吊荷が傷付けられることが解消される。ここで、第二片に設けられている係合部と第三片に設けられている被係合部には、種々の形態がある。例えば、第二片に設けられている係合部が水平方向に延出する突条であり、第三片に設けられている被係合部がこの突条に係合する凹条である形態や、係合部が水平方向に延出する凹条であり、被係合部が凹条に係合する突条である形態などが挙げられる。
【００１３】
また、本発明による吊治具の他の態様において、前記第二片には、前記ベルトが挿通される第一スリットと第二スリットが開設されており、
前記第四片に取り付けられている前記ベルトが前記第一スリットに挿通されて前記第二片の背面側に延び、前記第二スリットに挿通されて該第二片の正面側の前記吊荷が配設される側に延びていることを特徴とする。
【００１４】
本態様によれば、第四片に取り付けられているベルトが第一スリットに挿通されて第二片の背面側に延び、第二スリットに挿通されて第二片の正面側の吊荷が配設される側に延びていることにより、ベルトと吊荷が干渉することなく、第一片と第四片にて吊荷を挟んだ状態を形成することができる。
【００１５】
また、本発明による吊治具の他の態様は、前記第二片において、前記第一片との境界に前記第一スリットが開設され、
前記第三片の先端に前記ベルトが嵌る溝が開設されていることを特徴とする。
【００１６】
本態様によれば、第二片において第一片との境界に第一スリットが開設され、第三片の先端にベルトが嵌る溝が開設されていることにより、例えば第三片の先端が第一片に当接した状態で第一片と第四片が吊荷を挟んでいる場合に、ベルトが第四片の先端と第一片にて潰されて破損することが解消される。
【００１７】
また、本発明による吊治具の他の態様は、前記第四片に対して、前記ベルトが取り外し自在に取り付けられていることを特徴とする。
【００１８】
本態様によれば、第四片に対して、前記ベルトが取り外し自在に取り付けられていることにより、ベルトが劣化した際に、ベルトを容易に取り外し、新規のベルトに速やかに交換することができる。例えば、第四片の背面（吊荷を挟まない面）にストッパーを取り付けておき、吊治具の通常使用時にはこのストッパーにてベルトの一端を固定しておき、第四片に設けられているスリットを介してベルトが第二片の第一スリットに挿通され、第二片の背面側に延びている。
【発明の効果】
【００１９】
以上の説明から理解できるように、本発明の吊治具によれば、吊荷の吊り上げを効率的に行うことができる。
【図面の簡単な説明】
【００２０】
【図１】第１の実施形態に係る吊治具をある方向から見た斜視図である。
【図２】第１の実施形態に係る吊治具を図１のII方向から見た斜視図である。
【図３】第１の実施形態に係る吊治具を図１のIII方向から見た斜視図である。
【図４】第１の実施形態に係る吊治具により吊荷を挟持して吊っている状態を説明する斜視図である。
【図５】第２の実施形態に係る吊治具をある方向から見た斜視図である。
【発明を実施するための形態】
【００２１】
以下、各実施形態に係る吊治具について、添付の図面を参照しながら説明する。尚、本明細書及び図面において、実質的に同一の構成要素については、同一の符号を付することにより重複した説明を省く場合がある。
【００２２】
［第１の実施形態に係る吊治具］
はじめに、図１乃至図４を参照して、第１の実施形態に係る吊治具の一例について説明する。ここで、図１は、第１の実施形態に係る吊治具をある方向から見た斜視図であり、図２及び図３はそれぞれ、第１の実施形態に係る吊治具を図１のII方向及びIII方向から見た斜視図である。また、図４は、第１の実施形態に係る吊治具により吊荷を挟持して吊っている状態を説明する斜視図である。
【００２３】
吊治具１００は、第一部材１０と、ベルト４０が取り付けられている第二部材２０と、ベルト４０を締め付けるファスナー３０とを有する。
【００２４】
第一部材１０は、図１のＸ方向から見た平面視形状がＬ型を呈し、相互に直交する第一片１１と第二片１２とを備え、樹脂製もしくは金属製の部材である。また、第二部材２０も、図１のＸ方向から見た平面視形状がＬ型を呈し、相互に直交する第三片２１と第四片２２とを備え、樹脂製もしくは金属製の部材である。尚、第一部材１０と第二部材２０は、同素材により形成されているのが製作コストの観点から好ましく、例えばともに比較的硬質な樹脂製の部材が適用できる。
【００２５】
図１に示すように、第一部材１０の有する第二片１２には、水平方向に延出する係合部１３が設けられている。係合部１３の断面形状は台形状であり、短辺である上底が第二片１２に取り付けられている。一方、第二部材２０の有する第三片２１には、係合部１３に係合される溝状の被係合部２３が設けられている。被係合部２３の断面形状は、係合部１３の断面形状と相補的な台形状であり、図１に示すように、被係合部２３に向かって末広がり状の係合部１３が被係合部２３に摺動自在に嵌り込むことにより、双方の係合状態が維持されながら、第一部材１０と第二部材２０のＹ２方向への相対移動が可能になっている。尚、第二片１２において水平方向に延出する溝状の係合部が設けられ、第三片２１において溝状の係合部に係合される凸状の被係合部が設けられている形態であってもよい。
【００２６】
図１に示すように、第二部材２０の有する第四片２２には、間隔を置いて二つの第三スリット２４が開設され、ベルト４０の一端が二つの第三スリット２４に挿通され、図３に示すようにステッチ等により固定されている。
【００２７】
一方、ベルト４０の他端は、第二片１２に開設されている第一スリット１４に挿通され、図２に示すように第二片１２の背面側に延びている。尚、図示例の形態以外にも、ベルト４０の一端が、第三片２１の先端から窪んだ窪み部２６に固定されてもよい（図示せず）。
【００２８】
図２に示すように、第二片１２には、第一スリット１４に加えて第二スリット１５が開設されており、第二片１２の背面側に延びているベルト４０の他端は、第二スリット１５に挿通されて第二片１２の正面側の吊荷が配設される側に延びている。
【００２９】
図１に示すように、ベルト４０の他端をＹ１方向に引っ張ることにより、ベルト４０の一端が固定されている第四片２２を有する第二部材２０は第一部材１０に対して相対移動し、第一片１１と第四片２２の間の隙間Ｓが狭められる。この隙間Ｓには、図４に示すように吊荷Ｍが配設されるようになっており、第一片１１と第四片２２は吊荷Ｍを面的に挟持する。また、上記するようにベルト４０の一端が窪み部２６に固定されている形態では、第一片１１と第四片２２の間の隙間Ｓに吊荷Ｍが配設された際に、ベルト４０と吊荷Ｍの干渉が完全に解消される。
【００３０】
図３に示すように、第一スリット１４は、第二片１２において、第一片１１との境界に開設されている。一方、第三片２１の先端には、ベルト４０が嵌る溝２５が開設されている。例えば、第三片２１の先端が第一片１１に当接した状態で吊荷を挟持する場合に、ベルト４０が溝２５に嵌り込みながら第一スリット１４を介して第二片１２の背面側に延びることにより、ベルト４０が第三片２１の先端と第一片１１にて潰されて破損する恐れはない。
【００３１】
図１に戻り、ベルト４０の他端は、ファスナー３０に締付け自在に取り付けられている。ファスナー３０は、一対の対向片３１と、一対の対向片３１を繋ぐ二つの係合軸３２，３３と、一対の対向片３１に回動自在に取り付けられている回動軸３５と、回動軸３５に取り付けられている固定片３４とを有する。
【００３２】
回動軸３５には圧縮コイルバネ３６が取り付けられており、通常状態においては、圧縮コイルバネ３６による付勢力により、固定片３４の一端にある鋸端３４ａが係合軸３２に対して係合軸３２を押圧した状態で当接する。
【００３３】
第二片１２の第二スリット１５に挿通されて第二片１２の正面側の吊荷が配設される側に延びているベルト４０の一端は、係合軸３２と回動軸３５の間を挿通し、圧縮コイルバネ３６により付勢されている固定片３４の鋸端３４ａと、係合軸３２とにより挟み込まれている。すなわち、このように挟み込まれている状態において、ベルト４０はファスナー３０に固定される。
【００３４】
ファスナー３０によるベルト４０の締付け状態を解除する場合は、図１に示すように、固定片３４のうち、回動軸３５を介して鋸端３４ａと反対側の領域を、圧縮コイルバネ３６の付勢力に抗してＺ１方向に押すことにより、回動軸３５を中心に固定片３４をＺ２方向に回動させる。
【００３５】
ファスナー３０の係合軸３３には、重機等により直接吊り上げられる別途のベルト５０が固定されている。
【００３６】
図４に示すように、第一片１１と第四片２２との間の隙間Ｓに吊荷Ｍを配設し、ベルト４０をＹ１方向に引っ張ることにより、第一部材１０に対して第二部材２０がＹ２方向へ相対移動し、第一片１１と第四片２２の間の隙間Ｓが変更される。隙間Ｓが変更されることにより、隙間Ｓに配設されている吊荷Ｍは第一片１１と第四片２２により面的に圧縮力Ｃにて挟持される。
【００３７】
そして、ベルト４０の一端を所定の緊張状態まで引っ張ると、圧縮コイルバネ３６により付勢されている固定片３４の鋸端３４ａと係合軸３２は、ベルト４０の一端を挟んだ状態で相互に押圧し合い、ファスナー３０による第一部材１０と第二部材２０の相対位置が保持される。別途のベルト５０を重機（図示せず）に張力Ｔにて吊り上げることにより、吊荷Ｍを吊持することができる。
【００３８】
吊治具１００によれば、ベルト４０を締め付けることにより、第一部材１０と第二部材２０の間の隙間Ｓが変更されて隙間Ｓに配設されている吊荷Ｍを挟み、ファスナー３０により第一部材１０と第二部材２０の相対位置が保持されることにより、吊荷Ｍを効率的に吊り上げることができる。
【００３９】
また、吊荷Ｍが吊り上げられ、施工された後は、ファスナー３０による固定を解除することにより、吊荷Ｍから吊治具１００を容易に取り外すことができる。
【００４０】
また、吊治具１００の適用に当たり、吊荷Ｍに仮設治具を取り付ける必要がないことから、仮設治具に要するコストも削減でき、仮設治具の取り付けや取り外しに要する手間と時間も解消できる。
【００４１】
さらに、吊荷Ｍが第一片１１と第四片２２により面的に挟持されることから、吊荷Ｍに集中的な締付け力が付与されることがなく、このように集中的な締付け力により吊荷Ｍが傷付けられることが解消される。
【００４２】
［第２の実施形態に係る吊治具］
次に、図５を参照して、第２の実施形態に係る吊治具の一例について説明する。ここで、図２は、第２の実施形態に係る吊治具をある方向から見た斜視図である。
【００４３】
吊治具１００Ａは、第二部材２０Ａの有する第四片２２Ａにおいて、第二部材２０のように二つの第三スリット２４を有する代わりに一つの第三スリット２４を有し、さらに第四片２２Ａの背面側（吊荷を挟まない側）において、ベルト４０の一端を固定するストッパー２７を有している点で吊治具１００と相違している。
【００４４】
第四片２２Ａの背面のうち、第三スリット２４と離れた位置において、一対の対向する対向片２８が取り付けられており、鋸端２７ａを備えたストッパー２７が、この一対の対向片２８の間に回動自在に配設されている。ストッパー２７の端部にある回動軸２９が一対の対向片２８に回動自在に取り付けられ、コイルバネ（図示せず）により鋸端２７ａがベルト４０を締め付けるように付勢されている。
【００４５】
吊治具１００Ａによれば、ベルト４０が劣化した際に、ストッパー２７を回動させてベルト４０の締付けを解除することにより、ベルト４０を第四片２２Ａから容易に取り外し、新規のベルトに速やかに交換することができる。
【００４６】
尚、上記実施形態に挙げた構成等に対し、その他の構成要素が組み合わされるなどした他の実施形態であってもよく、ここで示した構成に本発明が何等限定されるものではない。この点に関しては、本発明の趣旨を逸脱しない範囲で変更することが可能であり、その応用形態に応じて適切に定めることができる。
【符号の説明】
【００４７】
１０：第一部材、１１：第一片、１２：第二片、１３：係合部、１４：第一スリット、１５：第二スリット、２０：第二部材、２１：第三片、２２，２２Ａ：第四片、２３：被係合部、２４：第三スリット、２５：溝、２７：ストッパー、３０：ファスナー、３１：対向片、３２，３３：係合軸、３４：固定片、３４ａ：鋸端、３５：回動軸、３６：圧縮コイルバネ、４０，５０：ベルト、１００，１００Ａ：吊治具、Ｍ：吊荷
【図１】
2020158280.tif 000003
【図２】
2020158280.tif 000004
【図３】
2020158280.tif 000005
【図４】
2020158280.tif 000006
【図５】
2020158280.tif 000007